(57)【要約】【課題】証明書を申請者の所望の場所で受け取ることができるための証明書発行システム等を提供する。【解決手段】申請受付システム１は、利用者の識別情報と証明書の発行申請要求を利用者端末５から受信し、利用者の証明書に関する情報が登録されるＤＢから該当する情報を読み出し、認証番号を生成し、認証番号とＤＢから読み出した利用者の証明書に関する情報を含む証明書データを生成して所定のＤＢに登録し、証明書の帳票データを生成して帳票管理サーバ４に登録する。帳票管理サーバ４は、受付番号を利用者端末５に送信する。プリンタ装置３２は、受付番号の入力を受けてコンビニ管理サーバ３１に送信し、コンビニ管理サーバ３１は受付番号に対応する帳票データを帳票管理サーバ４から受信し、プリンタ装置３２に送信する。プリンタ装置３２は、受信した証明書の帳票データを印刷する。【選択図】  図１
2004302924.tif 000002
【特許請求の範囲】
【請求項１】
証明書の発行申請をネットワークを介して受け付ける申請受付システムと、前記申請受付システムに接続されている帳票管理サーバと、を備える証明書発行システムであって、
前記申請受付システムは、
利用者の証明書に関する所定情報が登録されている第１のデータベースと、
利用者の識別情報と、証明書の発行申請要求と、を端末から受信する手段と、
受信した利用者の識別情報に基づいて前記第１のデータベースから該利用者の証明書に関する所定情報を読み出す手段と、
認証番号を生成し、前記認証番号と、前記第１のデータベースから読み出した利用者の証明書に関する所定情報と、を含む証明書データを生成して第２のデータベースに登録する手段と、
前記第１のデータベースから読み出した利用者の証明書に関する所定情報と、証明書の帳票フォーマットデータと、を合成して証明書の帳票データを生成する手段と、
前記証明書の帳票データを前記帳票管理サーバに送信する手段と、を備え、
前記帳票管理サーバは、
前記申請受付システムから、前記証明書の帳票データを受信する手段と、
受付番号を生成し、該受付番号と前記受信した帳票データを関連付けて第３のデータベースに記憶する手段と、
前記受付番号を証明書の申請者の端末に送信する手段と、
入力された受付番号に対応する証明書を印刷するための各プリンタ装置に接続されている管理サーバから受付番号を受信し、該受付番号に対応する証明書の帳票データを前記第３のデータベースから読み出して前記管理サーバに送信する手段と、を備え、
前記申請受付システムは、
証明書の認証番号を端末から受信し、該認証番号をキーとして前記第２のデータベースを検索し、該当する証明書データを検出した場合には該証明書データを読み出す認証番号受付手段と、
前記第２のデータベースの検索結果と、該当する証明書データを検出した場合の該証明書データの内容と、を示す情報を前記認証番号の送信元の端末に送信する検索結果送信手段と、をさらに備える、
ことを特徴とする証明書発行システム。
【請求項２】
前記証明書は印鑑証明書を含み、
前記第１のデータベースに登録されている利用者の印鑑証明書に関する所定情報は、印影のアナログデータとデジタルデータを含み、
前記認証番号受付手段は、前記証明書が印鑑証明書の場合に、印鑑証明書の認証番号と、印鑑証明書の印影の読取データと、を前記端末から受信し、該認証番号をキーとして前記第２のデータベースを検索し、該当する証明書データを検出した場合には、受信した印影データをデジタル化したデータと、検出した証明書データに含まれるデジタルデータと、を照合する手段をさらに備え、
前記検索結果送信手段は、前記証明書が印鑑証明書の場合に、前記第２のデータベースの検索結果と、該当する証明書データを検出した場合の照合結果と、を示す情報を前記認証番号の送信元の端末に送信する手段をさらに備える、
ことを特徴とする請求項１に記載の証明書発行システム。
【請求項３】
証明書の申請に応答して利用者に供給される受付番号を任意の店舗のプリンタ装置に入力することにより申請した証明書がプリンタ装置から印刷される証明書発行システム用の申請受付システムであって、
利用者の証明書に関する所定情報が登録されている第１のデータベースと、
利用者の識別情報と、証明書の発行申請要求と、を端末から受信する手段と、
受信した利用者の識別情報に基づいて前記第１のデータベースから該利用者の証明書に関する所定情報を読み出す手段と、
認証番号を生成し、前記認証番号と、前記第１のデータベースから読み出した利用者の証明書に関する所定情報と、を含む証明書データを生成して第２のデータベースに登録する手段と、
前記第１のデータベースから読み出した利用者の証明書に関する所定情報と、証明書の帳票フォーマットデータと、を合成して証明書の帳票データを生成する生成手段と、
前記生成手段により生成された証明書の帳票データを、帳票データの受信に応じて該帳票データに対応する受付番号を生成して利用者の端末へ送信する処理と各前記プリンタ装置を管理するコンピュータからの受付番号を含む要求に応じて該要求に含まれる受付番号に対応する証明書の帳票データを前記コンピュータに送信する処理とを行う帳票管理サーバに対して送信する手段と、
証明書の認証番号を端末から受信し、該認証番号をキーとして前記第２のデータベースを検索し、該当する証明書データを検出した場合には該証明書データを読み出す手段と、
前記第２のデータベースの検索結果と、該当する証明書データを検出した場合の該証明書データの内容と、を示す情報を前記認証番号の送信元の端末に送信する手段と、
を備えることを特徴とする申請受付システム。
【請求項４】
証明書の申請に応答して利用者に供給される受付番号を任意の店舗のプリンタ装置に入力することにより申請した証明書がプリンタ装置から印刷される証明書発行方法であって、
受付サーバが、利用者の識別情報と、証明書の発行申請要求と、を端末から受信し、該利用者の識別情報に基づいて、利用者の証明書に関する所定情報が登録されている前記第１のデータベースから該利用者の証明書に関する所定情報を読み出すステップと、
前記受付サーバが、認証番号を生成し、前記認証番号と、前記第１のデータベースから読み出した利用者の証明書に関する所定情報と、を含む証明書データを生成して第２のデータベースに登録するステップと、
前記受付サーバが、前記第１のデータベースから読み出した利用者の証明書に関する所定情報と、証明書の帳票フォーマットデータと、を合成して証明書の帳票データを生成するステップと、
前記受付サーバが、前記生成された証明書の帳票データを帳票管理サーバに送信するステップと、
前記帳票管理サーバが、受付番号を生成し、前記受付番号と前記証明書の帳票データを登録する登録ステップと、
前記帳票管理サーバが、前記登録ステップにおいて生成された受付番号を証明書の申請者の端末に送信するステップと、
プリンタ装置が、受付番号の入力を受けて、該受付番号を上位装置に送信するステップと、
前記上位装置が、前記プリンタ装置から受信した受付番号に対応する証明書の帳票データを、前記帳票管理サーバに要求して受信し、前記プリンタ装置に送信するステップと、
前記プリンタ装置が、前記上位装置から受信した証明書の帳票データを印刷するステップと、
前記受付サーバが、証明書の認証番号を端末から受信し、該認証番号をキーとして前記第２のデータベースを検索し、該当する証明書データを検出した場合には該証明書データを読み出すステップと、
前記受付サーバが、前記第２のデータベースの検索結果と、該当する証明書データを検出した場合の該証明書データの内容と、を示す情報を前記認証番号の送信元の端末に送信するステップと、
を備えることを特徴とする証明書発行方法。
【請求項５】
コンピュータに、
利用者の識別情報と、証明書の発行申請要求と、を端末から受信するステップ、
受信した利用者の識別情報に基づいて、利用者の証明書に関する所定情報が登録されている第１のデータベースから該利用者の証明書に関する所定情報を読み出すステップ、
認証番号を生成し、前記認証番号と、前記第１のデータベースから読み出した利用者の証明書に関する所定情報と、を含む証明書データを生成して第２のデータベースに登録するステップ、
前記第１のデータベースから読み出した利用者の証明書に関する所定情報と、証明書の帳票フォーマットデータと、を合成して証明書の帳票データを生成するステップ、
前記生成された証明書の帳票データを、帳票の受信に応じて受付番号を生成して利用者の端末へ送信する処理と受付番号が入力される各プリンタ装置を管理するコンピュータからの受付番号を含む要求に応じて、該要求に含まれる受付番号に対応する証明書の帳票データを前記コンピュータに送信する処理とを行う帳票管理サーバに対して送信するステップ、
認証番号を端末から受信し、該認証番号をキーとして前記第２のデータベースを検索し、該当する証明書データを検出した場合には該証明書データを読み出すステップ、
前記第２のデータベースの検索結果と、該当する証明書データを検出した場合の該証明書データの内容と、を示す情報を前記認証番号の送信元の端末に送信するステップ、
を実行させるためのプログラム。
【発明の詳細な説明】
【０００１】
【発明の属する技術分野】
この発明は、住民票、印鑑証明書等の証明書の申請をネットワークを介して受け付けることができ、利用者が所望する場所で証明書の交付を行うことができる証明書発行システムに関する。
【０００２】
【従来の技術】
従来、住民票や印鑑登録証明書等の証明書の交付の際には申請者等が地方公共団体等の所定機関の窓口に出向いていた。
しかし、近年のインターネット等に関する情報技術の向上や行政手続きの効率化の要望等により、インターネット等を介して住民票等の証明書の発行の申請を受け付ける仕組みが実現されている。
このようなシステムの一例として、個人端末から各行政機関へ各種申請を行うことができる行政機関窓口システムがある（例えば、特許文献１参照。）。
【０００３】
【特許文献１】
特開２００２−２５９６０２号公報（第３、４頁、第１図）
【０００４】
【発明が解決しようとする課題】
しかし、上記のようなシステムでは、証明書の申請は可能であるが、証明書の受取は窓口か郵送に限定されており、申請者が証明書を所望の場所で受け取ることができる仕組みの実現が要望されていた。
また、発行された証明書を申請者から受領した者等がその証明書の真正性を確認することができる仕組みは未だ実現されていない。
【０００５】
この発明は、上記実状に鑑みてなされたものであり、証明書を申請者の所望の場所で受け取ることができるための証明書発行システム等を提供することを目的とする。
また、発行された証明書の真正性を確認することができる証明書発行システム等を提供することを他の目的とする。
【０００６】
【課題を解決するための手段】
上記目的を達成するため、この発明の第１の観点に係る証明書発行システムは、
証明書の発行申請をネットワークを介して受け付ける申請受付システムと、前記申請受付システムに接続されている帳票管理サーバと、を備える証明書発行システムであって、
前記申請受付システムは、
利用者の証明書に関する所定情報が登録されている第１のデータベースと、
利用者の識別情報と、証明書の発行申請要求と、を端末から受信する手段と、
受信した利用者の識別情報に基づいて前記第１のデータベースから該利用者の証明書に関する所定情報を読み出す手段と、
認証番号を生成し、前記認証番号と、前記第１のデータベースから読み出した利用者の証明書に関する所定情報と、を含む証明書データを生成して第２のデータベースに登録する手段と、
前記第１のデータベースから読み出した利用者の証明書に関する所定情報と、証明書の帳票フォーマットデータと、を合成して証明書の帳票データを生成する手段と、
前記証明書の帳票データを前記帳票管理サーバに送信する手段と、を備え、
前記帳票管理サーバは、
前記申請受付システムから、前記証明書の帳票データを受信する手段と、
受付番号を生成し、該受付番号と前記受信した帳票データを関連付けて第３のデータベースに記憶する手段と、
前記受付番号を証明書の申請者の端末に送信する手段と、
入力された受付番号に対応する証明書を印刷するための各プリンタ装置に接続されている管理サーバから受付番号を受信し、該受付番号に対応する証明書の帳票データを前記第３のデータベースから読み出して前記管理サーバに送信する手段と、を備え、
前記申請受付システムは、
証明書の認証番号を端末から受信し、該認証番号をキーとして前記第２のデータベースを検索し、該当する証明書データを検出した場合には該証明書データを読み出す認証番号受付手段と、
前記第２のデータベースの検索結果と、該当する証明書データを検出した場合の該証明書データの内容と、を示す情報を前記認証番号の送信元の端末に送信する検索結果送信手段と、をさらに備える、
ことを特徴とする。
【０００７】
このような構成によれば、証明書の発行の申請要求を利用者の端末から受け付けて、利用者（申請者）の所望する場所のプリンタ装置から出力させるためのシステムを実現することができる。また、発行された証明書の受領者等が証明書の真正性をネットワークを介して確認することができる。
【０００８】
前記証明書は印鑑証明書を含んでもよく、
前記第１のデータベースに登録されている利用者の印鑑証明書に関する所定情報は、印影のアナログデータとデジタルデータを含んでもよく、
前記認証番号受付手段は、前記証明書が印鑑証明書の場合に、印鑑証明書の認証番号と、印鑑証明書の印影の読取データと、を前記端末から受信し、該認証番号をキーとして前記第２のデータベースを検索し、該当する証明書データを検出した場合には、受信した印影データをデジタル化したデータと、検出した証明書データに含まれるデジタルデータと、を照合する手段をさらに備えてもよく、
前記検索結果送信手段は、前記証明書が印鑑証明書の場合に、前記第２のデータベースの検索結果と、該当する証明書データを検出した場合の照合結果と、を示す情報を前記認証番号の送信元の端末に送信する手段をさらに備えてもよい。
【０００９】
また、この発明の第２の観点に係る申請受付システムは、
証明書の申請に応答して利用者に供給される受付番号を任意の店舗のプリンタ装置に入力することにより申請した証明書がプリンタ装置から印刷される証明書発行システム用の申請受付システムであって、
利用者の証明書に関する所定情報が登録されている第１のデータベースと、
利用者の識別情報と、証明書の発行申請要求と、を端末から受信する手段と、
受信した利用者の識別情報に基づいて前記第１のデータベースから該利用者の証明書に関する所定情報を読み出す手段と、
認証番号を生成し、前記認証番号と、前記第１のデータベースから読み出した利用者の証明書に関する所定情報と、を含む証明書データを生成して第２のデータベースに登録する手段と、
前記第１のデータベースから読み出した利用者の証明書に関する所定情報と、証明書の帳票フォーマットデータと、を合成して証明書の帳票データを生成する生成手段と、
前記生成手段により生成された証明書の帳票データを、帳票データの受信に応じて該帳票データに対応する受付番号を生成して利用者の端末へ送信する処理と各前記プリンタ装置を管理するコンピュータからの受付番号を含む要求に応じて該要求に含まれる受付番号に対応する証明書の帳票データを前記コンピュータに送信する処理とを行う帳票管理サーバに対して送信する手段と、
証明書の認証番号を端末から受信し、該認証番号をキーとして前記第２のデータベースを検索し、該当する証明書データを検出した場合には該証明書データを読み出す手段と、
前記第２のデータベースの検索結果と、該当する証明書データを検出した場合の該証明書データの内容と、を示す情報を前記認証番号の送信元の端末に送信する手段と、
を備えることを特徴とする。
【００１０】
このような構成によれば、証明書の発行の申請要求を利用者の端末から受け付けて、利用者（申請者）の所望する場所のプリンタ装置から出力させるためのシステムを実現することができる。また、発行された証明書の受領者等が証明書の真正性をネットワークを介して確認することができる。
【００１１】
また、この発明の第３の観点に係る証明書発行方法は、
証明書の申請に応答して利用者に供給される受付番号を任意の店舗のプリンタ装置に入力することにより申請した証明書がプリンタ装置から印刷される証明書発行方法であって、
受付サーバが、利用者の識別情報と、証明書の発行申請要求と、を端末から受信し、該利用者の識別情報に基づいて、利用者の証明書に関する所定情報が登録されている前記第１のデータベースから該利用者の証明書に関する所定情報を読み出すステップと、
前記受付サーバが、認証番号を生成し、前記認証番号と、前記第１のデータベースから読み出した利用者の証明書に関する所定情報と、を含む証明書データを生成して第２のデータベースに登録するステップと、
前記受付サーバが、前記第１のデータベースから読み出した利用者の証明書に関する所定情報と、証明書の帳票フォーマットデータと、を合成して証明書の帳票データを生成するステップと、
前記受付サーバが、前記生成された証明書の帳票データを帳票管理サーバに送信するステップと、
前記帳票管理サーバが、受付番号を生成し、前記受付番号と前記証明書の帳票データを第３のデータベースに登録する登録ステップと、
前記帳票管理サーバが、前記登録ステップにおいて生成された受付番号を証明書の申請者の端末に送信するステップと、
プリンタ装置が、受付番号の入力を受けて、該受付番号を上位装置に送信するステップと、
前記上位装置が、前記プリンタ装置から受信した受付番号に対応する証明書の帳票データを、前記第３のデータベースを管理するコンピュータに要求して受信し、前記プリンタ装置に送信するステップと、
前記プリンタ装置が、前記上位装置から受信した証明書の帳票データを印刷するステップと、
前記受付サーバが、証明書の認証番号を端末から受信し、該認証番号をキーとして前記第２のデータベースを検索し、該当する証明書データを検出した場合には該証明書データを読み出すステップと、
前記受付サーバが、前記第２のデータベースの検索結果と、該当する証明書データを検出した場合の該証明書データの内容と、を示す情報を前記認証番号の送信元の端末に送信するステップと、
を備えることを特徴とする。
【００１２】
このような構成によれば、証明書の発行の申請要求を利用者の端末から受け付けて、利用者（申請者）の所望する場所のプリンタ装置から出力させることができる。また、発行された証明書の受領者等が証明書の真正性をネットワークを介して確認することができる。
【００１３】
また、この発明の第４の観点に係るプログラムは、
コンピュータに、
利用者の識別情報と、証明書の発行申請要求と、を端末から受信するステップ、
受信した利用者の識別情報に基づいて、利用者の証明書に関する所定情報が登録されている第１のデータベースから該利用者の証明書に関する所定情報を読み出すステップ、
認証番号を生成し、前記認証番号と、前記第１のデータベースから読み出した利用者の証明書に関する所定情報と、を含む証明書データを生成して第２のデータベースに登録するステップ、
前記第１のデータベースから読み出した利用者の証明書に関する所定情報と、証明書の帳票フォーマットデータと、を合成して証明書の帳票データを生成するステップ、
前記生成された証明書の帳票データを、帳票の受信に応じて受付番号を生成して利用者の端末へ送信する処理と受付番号が入力される各プリンタ装置を管理するコンピュータからの受付番号を含む要求に応じて、該要求に含まれる受付番号に対応する証明書の帳票データを前記コンピュータに送信する処理とを行う帳票管理サーバに対して送信するステップ、
認証番号を端末から受信し、該認証番号をキーとして前記第２のデータベースを検索し、該当する証明書データを検出した場合には該証明書データを読み出すステップ、
前記第２のデータベースの検索結果と、該当する証明書データを検出した場合の該証明書データの内容と、を示す情報を前記認証番号の送信元の端末に送信するステップ、
を実行させる。
【００１４】
【発明の実施の形態】
以下、本発明の実施の形態に係る証明書発行システムについて図面を参照して説明する。
【００１５】
図１はこの発明の実施形態に係る証明書発行システムの構成を示す図である。
図示するように、この証明書発行システムは、申請受付システム１と、銀行サーバ２と、コンビニエンスストアシステム（コンビニシステム）３と、帳票管理サーバ４と、利用者端末５と、を備え、これらはインターネット等のネットワーク１０を介して接続されている。
【００１６】
申請受付システム１は、証明書の発行機関（例えば、地方公共団体、企業等）のシステムであって、ＬＡＮ（ｌｏｃａｌ  ａｒｅａ  ｎｅｔｗｏｒｋ）等のネットワークを介して相互に接続されている受付サーバ１１と基幹システム１２等を含む。
受付サーバ１１は、証明書の申請や発行された証明書の真正性の確認の要求等を受け付けるためのものであり、例えば図２に示すように、制御部１１１、記憶部１１２、通信制御部１１３等を備えるコンピュータから構成される。
制御部１１１は、記憶部１１２に記憶される動作プログラム等を実行することにより、申請受付部１１１ａ、証明書確認部１１１ｂ等を論理的に実現する。
【００１７】
申請受付部１１１ａは、ネットワーク１０を介して利用者端末５から証明書の申請要求を受信すると、予め利用者に発行されているＩＤ、パスワード等の入力を受け付けて本人確認を行い、確認後に、利用者の住民票コード、利用者の連絡先（メールアドレス等）、申請対象の証明書の種別等の入力を受け付ける。そして、入力データを利用者端末５から受信すると、その受信データを記憶部１１２に記憶するとともに、住民票コード、申請された証明書の種別等のデータを、各種証明書に関する利用者の情報が登録されている各データベースを管理する基幹システム１２に送信する。そして、基幹システム１２において該当するデータベースから読み出された登録データを受信すると、証明書毎にユニークな認証番号を所定の生成方式に従って生成し、基幹システム１２から受信した情報に認証番号、発行年月日等の情報を付加して証明書データを生成し、記憶部１１２の証明書発行ＤＢ１１２ａに登録する。証明書データは、例えば図３に示すように、証明書の種別、発行年月日、認証番号、基幹システム１２のデータベースから読み出した各種登録データ（例えば、住民票データ、印鑑証明書データ等）等を含む。なお、基幹システム１２のデータベースから読み出した登録データは、後述するように、証明書毎に異なるデータ構成を有する。なお、認証番号の生成方式は任意であり、所定の算出式を用いてもよく、また、連番や乱数を用いてもよい。
【００１８】
また、申請受付部１１１ａは、証明書発行に関する手数料を利用者から徴収するための所定の支払処理を基幹システム１２、銀行サーバ２等と連動して行う。例えば、予め登録されている各証明書の発行手数料データを参照して手数料を算出し、算出した手数料の支払いを要求するメッセージと、支払手段（インターネットバンキング等）へのリンクを表示する画面を利用者端末５に送信し、銀行サーバ２が提供する所定サイトに接続させるようにしてもよい。そして、利用者からの手数料の支払が完了したことを示す通知を基幹システム１２から受信すると、証明書データと帳票フォーマットを合成して証明書の帳票データを生成し、帳票データ、申請者の連絡先情報（メールアドレス等）を帳票管理サーバ４に送信する。
【００１９】
証明書確認部１１１ｂは、ネットワーク１０を介して利用者端末５からのアクセス要求を受けると、住民票コード等の入力を受け付けて本人確認を行い、確認後、処理メニューの選択画面を利用者端末５に送信し、これに対する選択入力を受け付ける。そして、「証明書の確認」が選択されたことに応じて、証明書に印字されている所定情報（発行年月日、証明書の種別、認証番号等）の入力画面を送信する。そして、入力データを受信すると、受信データが示す証明書の種別に基づいて、証明書データが適正に登録されているかについての登録チェックを行う。
【００２０】
この登録チェックでは、例えば、確認対象の証明書の種別コードを参照し、印鑑証明書等の印鑑に関する証明書の種別コードに該当するか否かを判別する。印鑑証明書等以外の証明書については、受信データにおける所定情報（例えば、発行年月日、証明書の種別、認証番号等）をキーとして証明書発行ＤＢ１１２ａを検索して、対応する登録データが存在する場合には読み出す。そして、対応する登録データの存在の有無や、読み出した登録データの内容等の情報を利用者端末５に送信する。また、処理対象の証明書の種別が印鑑証明書等の種別に該当する場合、受信した所定情報（発行年月日、証明書の種別、認証番号等）をキーとして証明書発行ＤＢ１１２ａを検索して、対応する登録データが存在しない場合にはその旨の情報を利用者端末５に送信し、また、該当する登録データが存在する場合には、受信した印影のアナログデータを用いて印影のデジタルデータを生成し、生成した印影のデジタルデータが、登録されている印影のデジタルデータと一致するかを判別するチェックを行う。そして、比較したデジタルデータが一致する場合には、該当する登録データが存在し、印影も登録されているものと合致する旨の情報を利用者端末５に送信し、また、一致しない場合には、該当する登録データが存在するが、印影が登録されているものと合致しない、すなわち、不正な証明書である旨の情報を利用者端末５に送信する。
【００２１】
記憶部１１２は、証明書発行ＤＢ１１２ａを備える。また、記憶部１１２は、利用者情報（ＩＤ、パスワード、連絡先情報）、各種帳票フォーマット等のデータを記憶する。また、記憶部１１２は、制御部１１１が実行する動作プログラムや、処理に必要な各種のデータを記憶する。
通信制御部１１３は、基幹システム１２、銀行サーバ２、帳票管理サーバ４、利用者端末５等との間のデータ通信を制御する。
【００２２】
基幹システム１２は、例えば図４に示すように、受付サーバ１１と連動して申請書の発行処理等を行うための情報管理サーバコンピュータ（以下、情報管理サーバ）１２１と、登録端末１２２と、を含む。これらの情報管理サーバ１２１と登録端末１２２は、例えば、ＬＡＮ等のネットワークで接続されている。
【００２３】
情報管理サーバ１２１は、記憶部１２１１、制御部１２１２、通信制御部１２１３を備える。
記憶部１２１１は、各種証明書に関する利用者の情報が登録されている登録ＤＢ１２１４を証明書毎に備える。この登録ＤＢ１２１４には、例えば、住民票に関する利用者の情報（住民票データ）が登録されている住民票ＤＢ１２１４ａ、印鑑証明書に関する利用者の情報が登録されている印鑑ＤＢ１２１４ｂ等がある。住民票ＤＢ１２１４ａに登録される住民票データは、例えば図５に示すように、証明書の種別を示す種別情報、同世帯に属する世帯主と世帯主以外の者の、住民票コード、氏名、生年月日、性別、住所、続柄等の情報を含む。また、印鑑ＤＢ１２１４ｂに登録される印鑑証明書データは、例えば図６に示すように、種別情報、登録申請者の住民票コード、印鑑の登録年月日、印影データ（印影のアナログデータとデジタルデータ）等の情報を含む。
また、記憶部１２１１は、制御部１２１２が実行する動作プログラムや、処理に必要な各種のデータを記憶する。
【００２４】
制御部１２１２は、受付サーバ１１からの要求に応じて、受信した証明書の種別に対応する登録データベース１２１４から、受信したキー（住民票コード等）に該当する登録データを抽出し、受付サーバ１１に送信する。
また、制御部１２１２は、証明書発行の手数料について利用者からの支払が完了したことを示す支払完了データを銀行サーバ２から受信すると、利用者からの手数料の支払が完了したことを示す通知を受付サーバ１１に送信する。
【００２５】
また、制御部１２１２は、ＬＡＮ等を介して接続される登録端末１２２から、印鑑登録要求とともに、登録者に関する情報（住民票コード等）と、印影データ（アナログデータとデジタルデータ）を受信すると、印鑑登録者に関する情報と、登録年月日と、印影データ（アナログデータ及びデジタルデータ）と、を含む印鑑証明書データを生成し、印鑑ＤＢ１２１４ｂに登録する。
通信制御部１２１３は、受付サーバ１１、登録端末１２２等との間のデータ通信を制御する。
【００２６】
登録端末１２２は、例えば、証明書発行機関の担当者等により操作される端末であり、制御部１２２１、記憶部１２２２、表示部１２２３、入力部１２２４、通信制御部１２２５を備えるパーソナルコンピュータ等から構成される。また、登録端末１２２にはスキャナ等の画像読取装置が接続されている。
【００２７】
制御部１２２１は、記憶部１２２２に記憶されるプログラムを実行することにより、印鑑を登録するための処理を行う。具体的には、表示された処理メニューから「印鑑登録」が選択入力されたことに応答して、印鑑登録者に関する情報（住民票コード等）と、印影の読取データと、の入力を受け付ける。印影の読取データについては、担当者が登録端末１２２に接続されているスキャナ等を用いて予め申込用紙の印影を読み取った印影データ（アナログデータ）を用いてもよく、また、この時点でスキャナを用いて申込用紙の印影を読み取ってもよい。制御部１２２１は、入力された各データを記憶部１２２２に一時的に記憶するとともに、そのうちの印影データ（アナログデータ）について、特徴抽出したデータをデジタル化する等の所定のデジタル変換処理を行って印影のデジタルデータを生成する。また、印影の読取データ（アナログデータ）を表示部１２２３に表示し、担当者に申込用紙の印影と同一であることを確認させる。そして、確認ＯＫ等の入力に応答して、印鑑登録者に関する情報と、印影データ（アナログデータ及びデジタルデータ）を、所定の印鑑登録要求とともに、情報管理サーバ１２１に送信する。
【００２８】
記憶部１２２２は、制御部１２２１が実行する動作プログラムや、処理に必要な各種のデータを記憶する。
表示部１２２３は、ＣＲＴ、液晶ディスプレイ等の表示装置を含み、制御部１２２１からの指示に従って種々の画面表示を行う。
入力部１２２４は、マウス、キーボード等の入力装置を含み、入力されたデータを制御部１２２１に通知する。
通信制御部１２２５は、情報管理サーバ１２１等との間でデータ通信を行うためのものである。
【００２９】
銀行サーバコンピュータ（銀行サーバ）２は、証明書発行の手数料の支払に関する支払処理等を行う。例えば、銀行サーバ２は、利用者の口座情報を管理しており、利用者端末５からの支払要求に応じて、予め設定されているＩＤ、パスワード等の入力を受け付けて本人確認処理を行い、確認後、支払金額、支払先口座（この実施例では、証明書発行機関の口座）等の入力を利用者端末５から受け付ける。そして、利用者端末５から受信した入力データに基づいて、利用者の口座から支払金額分の資金を所定の口座に移動する処理を行い、手数料の確保が完了した旨の情報（支払完了データ）を支払先のコンピュータ（この実施例では、基幹システム１２）に送信する。
【００３０】
コンビニシステム３は、例えば図７に示すように、コンビニ管理サーバ３１と、各コンビニエンスストアに設置されているプリンタ装置３２と、を備える。
【００３１】
コンビニ管理サーバ３１は、制御部３１１、記憶部３１２、通信制御部３１３を備えるコンピュータから構成され、各コンビニエンスストアのプリンタ装置３２と、所定のネットワークを介して接続されている。
制御部３１１は、記憶部３１２に記憶される動作プログラムを実行することにより、各プリンタ装置３２から受付番号を受信すると、受付番号と送信元のプリンタ装置３２のアドレス情報等を記憶部３１２に記憶するとともに、その受付番号を帳票管理サーバ４に送信し、受付番号に対応する証明書の帳票データと受付番号を帳票管理サーバ４から受信する。そして、受信した帳票データをその受付番号の送信元のプリンタ装置３２に送信する。
記憶部３１２は、制御部３１１が実行する動作プログラムや、処理に必要な各種のデータを記憶する。
通信制御部３１３は、各プリンタ装置３２、帳票管理サーバ４との間のデータ通信を制御する。
【００３２】
プリンタ装置３２は、例えば、通常の印刷機能を有するプリンタ（印刷部）に、制御部、記憶部、表示部、入力部、通信制御部を備えるコンピュータが接続された構成を有する。
プリンタ装置３２は、制御部が記憶部に記憶された動作プログラムを実行することにより、利用者から受付番号の入力を受け付け、入力された受付番号を通信制御部を介してコンビニ管理サーバ３１に送信し、その受付番号に対応する帳票データを受信して、所定の用紙に印刷する。この用紙は不正なコピー行為の防止を目的として、コピーすると、所定の文字が現れる複写防止加工が施されている。
【００３３】
帳票管理サーバ４は、図８に示すように、制御部４１、記憶部４２、通信制御部４３等を備えるコンピュータから構成される。
制御部４１は、記憶部４２に記憶される動作プログラムを実行することにより、受付サーバ１１から、帳票データ、申請者の連絡先情報（メールアドレス等）等を受信すると、帳票データの送信元の確認を行った上で、所定の受付番号（連番でもよく、また、乱数を用いてもよい）を生成し、例えば図９に示すように、受付番号、受付年月日、帳票送信元情報、帳票データを関連付けて記憶部４２の帳票ＤＢ４２ａに記憶するとともに、受付番号を申請者の連絡先に通知するための処理を行う。通知方法は、例えば、申請者のメールアドレス宛に受付番号を通知する旨の電子メールを送信してもよく、また、申請者の端末からの要求に応じて申請者の受付番号を表示するウェブページを送信してもよい。また、制御部４１は、コンビニ管理サーバ３１から受付番号を受信すると、その受付番号に関連付けて帳票ＤＢ４２ａに記憶されている帳票データを読み出して、受付番号とともにコンビニ管理サーバ３１に送信する。
記憶部４２は、受付番号、受付年月日、帳票送信元情報、帳票データが関連付けて記憶されている帳票ＤＢ４２ａを備える。また、記憶部４２は、制御部４１が実行する動作プログラムや、処理に必要な各種のデータを記憶する。
通信制御部４３は、受付サーバ１１、コンビニ管理サーバ３１との間のデータ通信を制御する。
【００３４】
利用者端末５は、例えば、記憶部、表示部、入力部、通信制御部を備えるパーソナルコンピュータ等から構成される。制御部は、記憶部に記憶されるプログラム等を実行することにより、ウェブページを閲覧するためのブラウザ機能や、電子メール機能等を実現する。制御部は、例えば、証明書を申請したい利用者による入力操作に応じて、受付サーバ１１により提供される所定サイト（電子申請用のホームページ等）にアクセスし、証明書の申請のための処理等を行う。また、制御部は、例えば、発行された証明書の真正性を確認したい利用者による入力操作に応じて、受付サーバ１１により提供される所定サイトにアクセスし、証明書の真正性を確認するための処理等を行う。
【００３５】
次に、この発明の実施形態に係る証明書発行システムの動作について説明する。
まず、証明書の発行機関の申請受付システム１が利用者Ａから住民票の発行の申請を受け付ける場合における申請受付処理について図１０のフローチャートを参照して説明する。
例えば、利用者Ａは、利用者端末５を用いて、受付サーバ１１が提供する電子申請のホームページにアクセスし、処理メニューから「証明書の申請」を選択する。これに応じて、受付サーバ１１は、予め利用者Ａに発行されているＩＤ、パスワード等の入力を受け付けて申請者の本人確認を行い（ステップＳ１）、確認後、申請対象の証明書の種別、利用者の住民票コード、利用者の連絡先（メールアドレス等）等の入力を受け付ける入力画面を利用者端末５に送信し、利用者Ａにより入力されたデータを利用者端末５から受信する（ステップＳ２）。この例では、申請対象の証明書の種別として、住民票が選択される。
【００３６】
次に、受付サーバ１１は、利用者Ａの住民票コード、申請された証明書の種別（この例では、「住民票」）のデータを基幹システム１２に送信する。基幹システム１２では、受信データに基づいて、該当する住民票ＤＢ１２１４ａについて検索を行い、利用者Ａの登録データ（住民票データ）を抽出して、受付サーバ１１に送信する（ステップＳ３）。
受付サーバ１１は、基幹システム１２から利用者Ａの登録データ（住民票データ）を受信すると、証明書毎にユニークな認証番号を所定の生成方式に従って生成し（ステップＳ４）、受信した登録データ（住民票データ）に、認証番号、発行年月日等の情報を付加して証明書データを生成し（ステップＳ５）、記憶部１１２の証明書発行ＤＢ１１２ａに登録する（ステップＳ６）。
【００３７】
次に、受付サーバ１１は、証明書発行に関する手数料を利用者Ａから徴収するための所定の支払処理を基幹システム１２、銀行サーバ２等と連動して行う（ステップＳ７）。この支払処理において、手数料の支払の完了を示すデータが銀行サーバ２から基幹システム１２に送信され、これを受信した基幹システム１２が受付サーバ１１に支払完了を示す通知を送信すると、受付サーバ１１は、証明書データと、証明書の種別に対応した帳票フォーマット（この場合、住民票のフォーマット）と、を合成して住民票の帳票データを生成し、帳票データ、申請者Ａの連絡先情報（メールアドレス等）を帳票管理サーバ４に送信する。帳票管理サーバ４は、帳票データ等を受信すると、帳票データの送信元の確認を行った上で、受付番号を生成し、受信した帳票データ、申請者Ａの連絡先情報（メールアドレス等）とともに帳票ＤＢ４２ａに登録する（ステップＳ８、９）。
そして、帳票管理サーバ４は、利用者Ａに受付番号をウェブページや電子メール等により通知する処理を行う（ステップＳ１０）。
【００３８】
次に、利用者Ａが上記申請受付処理において申請した証明書（住民票）を所望のコンビニエンスストア（Ｂ店舗）で受け取る場合における受取処理について図１１のフローチャートを参照して説明する。
【００３９】
利用者Ａは、申請した住民票を受け取るため、例えば、Ｂ店舗に設置されているプリンタ装置３２の表示部に表示されているメニューから「証明書受取」を選択入力し、これに応じて、プリンタ装置３２は、受付番号の入力を受け付けて、入力された受付番号をコンビニ管理サーバ３１に送信する（ステップＳ１１）。
コンビニ管理サーバ３１は、Ｂ店舗のプリンタ装置３２から受付番号を受信すると、その受付番号と店舗Ｂのプリンタ装置３２のアドレス情報等を記憶部３１２に記憶するとともに、この受付番号を帳票管理サーバ４に送信する（ステップＳ１２）。
帳票管理サーバ４は、コンビニ管理サーバ３１から受信した受付番号に対応する帳票データを読み出して、受付番号とともにコンビニ管理サーバ３１に返送する（ステップＳ１３）。
コンビニ管理サーバ３１は、帳票管理サーバ４から帳票データと受付番号を受信し、その受付番号の送信元の店舗Ｂのプリンタ装置３２に帳票データを送信する（ステップＳ１４）。
店舗Ｂのプリンタ装置３２は、コンビニ管理サーバ３１から帳票データを受信して、出力（印刷）する（ステップＳ１５）。利用者Ａは、プリンタ装置３２から印刷された証明書（住民票）を受け取る。
【００４０】
次に、利用者Ａが上記受取処理において受け取った証明書（住民票）を受領した利用者Ｂが、その証明書（住民票）の真正性を確認する場合における確認処理について図１２のフローチャートを参照して説明する。
【００４１】
例えば、利用者Ｂは、利用者端末５を用いて、受付サーバ１１が提供する所定のホームページにアクセスする。これに応じて、受付サーバ１１は、住民票コード等の入力を受け付けて確認依頼者の本人確認を行い（ステップＳ２１）、確認後、「証明書の確認」等を含む処理メニューを送信して、メニューの選択入力を受け付ける（ステップＳ２２）。そして「証明書の確認」が選択されると、証明書に印字（印刷）されている所定情報（発行年月日、証明書の種別、認証番号等）を入力させるような入力画面を利用者端末５に送信し、利用者Ｂにより入力されたデータを利用者端末５から受信する（ステップＳ２３）。この例では、利用者Ｂが利用者Ａから受け取った住民票に印字されている各情報が入力される。
【００４２】
次に、受付サーバ１１は、受信データが示す証明書の種別を参照し、証明書の種別に基づいて、対応する証明書データが適正に証明書発行ＤＢ１１２ａに登録されているかについての登録チェックを行う。具体的には、証明書の種別が、印鑑に関する証明書（印鑑証明書等）以外の証明書を示す場合には、受信データにおける所定情報（発行年月日、証明書の種別、認証番号等）をキーとして証明書発行ＤＢ１１２ａを検索して、対応する登録データが存在する場合には読み出す（ステップＳ２４）。そして、証明書に対応する登録データの存在の有無や、読み出した登録データの内容等の情報を利用者端末５に送信して表示させる（ステップＳ２５）。
利用者Ｂは、利用者端末５に表示された内容と、利用者Ａから受け取った証明書（この例では、住民票）の内容を、照合することにより、受け取った証明書の真正性を確認することができる。なお、印鑑証明書等の場合の確認処理について後述する。
【００４３】
なお、本実施形態に係る証明書発行システムにより発行される印鑑証明書は、印影データとしてアナログデータとデジタルデータを用いている。この印影を本システムに登録するための印影登録処理について図１３のフローチャートを参照して説明する。
例えば、証明書発行機関の担当者は、登録端末１２２を操作して、処理メニューから「印鑑登録」を選択入力する。これに応じて、登録端末１２２は、印鑑登録者に関する情報（住民票コード等）と、印影の読取データと、の入力を受け付ける（ステップＳ３１）。そして、入力された印鑑登録者に関する情報と印影の読取データである印影データ（アナログデータ）を一時的に記憶するとともに、そのうちの印影データ（アナログデータ）について、所定のデジタル変換処理を行って印影のデジタルデータを生成する（ステップＳ３２）。
【００４４】
そして、登録端末１２２は、印影データ（アナログデータ）を表示して、担当者に申込用紙の印影と同一であることを確認させ、確認結果を入力させる（ステップＳ３３）。そして、確認ＯＫの入力に応答して、印鑑登録者に関する情報と、印影データ（アナログデータ及びデジタルデータ）を、所定の印鑑登録要求とともに、情報管理サーバ１２１に送信する。情報管理サーバ１２１は、受信データに登録年月日のデータを付与して印鑑証明書データを生成し、印鑑ＤＢ１２１４ｂに登録し（ステップＳ３４）、登録結果等を表示して（ステップＳ３５）、終了する。なお、ステップＳ３３において、エラー入力がなされた場合には、印影データ（アナログデータ）を再入力させ、再入力されたアナログデータをデジタル変換する等の所定のエラー処理を行う。
【００４５】
また、印影に関する証明書（印鑑証明書等）の申請を受け付けた場合は、上述した申請受付処理（図１０参照）において、受付サーバ１１が申請者の本人確認を行った後（ステップＳ１）、申請対象の証明書の種別（この場合、「印鑑証明書」）、利用者の住民票コード、利用者の連絡先（メールアドレス等）等の入力を受け付ける（ステップＳ２）。そして、基幹システム１２において印鑑登録証に関する利用者の情報が登録されている印鑑証明書ＤＢ１２１４ｂから利用者の印鑑証明書データを抽出して、受付サーバ１１に送信する（ステップＳ３）。その後、受付サーバ１１では、認証番号を生成し（ステップＳ４）、受信した印鑑証明書データに、認証番号、発行年月日等の情報を付加して証明書データを生成して証明書発行ＤＢ１１２ａに登録する（ステップＳ５、Ｓ６）。次に、支払処理を行った後（ステップＳ７）、受付サーバ１１において、証明書データと、印鑑証明書のフォーマットと、を合成して印鑑証明書の帳票データを生成する。この印鑑証明書の帳票データにおけるデジタル印影は例えば二次元コード等を用いる。そして、帳票データを生成した後、帳票データと、申請者の連絡先情報等を帳票管理サーバ４に送信する。帳票管理サーバ４では、帳票データの送信元の確認を行った後、受付番号を生成し、帳票データ、申請者の連絡先情報とともに帳票ＤＢ４２ａに登録する（ステップＳ８、９）。そして、受付番号を申請者の利用者端末５に送信する（ステップＳ１０）。
【００４６】
また、印影に関する証明書（印鑑証明書等）を受領した者による印鑑証明書の確認要求を受け付ける場合は、上述した確認処理（図１２参照）において、受付サーバ１１が確認依頼者の本人確認を行った後（ステップＳ２１）、処理メニュからメニューの選択入力「証明書の確認」を受け付け（ステップＳ２２）、証明書に印刷されている所定情報（発行年月日、証明書の種別、認証番号、印影の読取データ等）の入力を受け付ける入力画面を利用者端末５に送信して、各データの入力を受け付ける。印影の読取データについては、例えば、利用者端末５に接続されたスキャナ等で証明書の印影を読み取り、その読取データを入力する。また、予め読み取られたデータを入力してもよい。利用者端末５は、入力された各データを受付サーバ１１に送信し（ステップＳ２３）、受付サーバ１１は、受信データが示す証明書の種別を参照し、その種別に基づいて、証明書データが適正に登録されているかについての登録チェックを行う（ステップＳ２４）。この例では、確認対象が、印鑑証明書であるため、受信データにおける所定情報（発行年月日、証明書の種別、認証番号等）をキーとして証明書発行ＤＢ１１２ａを検索する。そして、該当する登録データが存在する場合には、受信した印影のアナログデータをデジタル化して印影のデジタルデータを生成し、生成した印影のデジタルデータが、登録されている印影のデジタルデータと一致するかを判別するチェックを行う。そして、比較したデジタルデータが一致する場合には、該当する登録データが存在する旨の情報を利用者端末５に送信し、また、一致しない場合には、不正な証明書である旨の情報を利用者端末５に送信する（ステップＳ２５）。
これにより、印鑑証明書を受け取った者がその印鑑証明書の真正性を確認することができる。
【００４７】
以上説明したように、本発明によれば、ネットワークを介して申請した証明書を、申請者の所望する場所で受け取ることができる。また、発行された証明書の真正性をネットワークを介して確認することができる。
【００４８】
なお、印鑑証明書における印影のデジタルデータの表示形態は二次元コードに限定されず任意である。
また、上記説明では、デジタル印影として、印影のアナログデータをデジタル化したものを用いているが、これに限定されず、例えば、受付サーバ１１が、証明書データを生成する際に乱数等を発生させ、その数値をデジタル印影のデータとして用いるようにしてもよい。
【００４９】
また、証明書の確認処理において、利用者に入力させる情報は証明書を特定できる情報であればよい。よって、例えば、証明書毎にユニークな認証番号のみを入力させ、入力された認証番号をキーとして証明書発行ＤＢ１１２ａを検索するようにしてもよい。
【００５０】
また、上記実施例では、証明書発行の手数料の支払いをインターネットバンキキングにより処理するようにしているが、複数の決済方法の中から所望の決済方法を選択できるようにしてもよい。例えば、申請受付処理において、決済方法の選択入力を利用者端末５に要求し、利用者により選択された決済方法のデータを受信し、受信データが示す決済方法による支払処理を行うようにしてもよい。例えば、コンビニ決済が選択された場合、受付サーバ１１は、帳票データ等の他に手数料を示す金額情報を付加して帳票管理サーバ４に送信する。その後、利用者により受付番号が入力されたプリンタ装置３２から受付番号を受信したコンビニ管理サーバ３１は、受信データを帳票管理サーバ４に送信して、帳票データと受付番号と金額情報を帳票管理サーバ４から受信し、受付番号の送信元のプリンタ装置３２に帳票データと金額情報を送信する。プリンタ装置３２の制御部は、受信データに金額情報が含まれることを検出すると、その金額情報を表示し、図示せぬ現金処理部を制御して現金の入金を受け付けた後、帳票データを出力する。プリンタ装置３２内に格納された現金は所定のタイミングで回収され、証明書発行機関の口座等に入金されてもよい。
【００５１】
なお、本発明は、種々の証明書、請求書、領収書等の書類を利用者の所望の場所で取得するシステムにも適用可能である。例えば、受付サーバ１１が所定の申請を受け付けて、これに対応する書類の帳票データを帳票管理サーバ４に送信する。利用者は、所望の場所のコンビニエンスストアに設置されているプリンタ装置３２に受付番号を入力し、プリンタ装置３２は、入力された受付番号に対応する書類の帳票データをコンビニ管理サーバ３１から受信して出力する。発行された書類を受領した者は、利用者端末５から受付サーバ１１にアクセスして、その書類に記載されている認証番号等の情報を入力することにより、受付サーバ１１において、その書類に対応する登録データが適正に存在するか等がチェックされ、登録されている場合には、登録内容等が表示される。これにより、書類の真正性を確認することができる。
【００５２】
なお、利用者が証明書の申請の際に使用するＩＤ、パスワードの発行方法は任意であり、例えば、利用者が利用者端末５を用いて所定のサイト（電子申請のホームページ等）にアクセスし、処理メニューから「ＩＤ発行」等を選択し、これに応じて、受付サーバ１１が住民票コード等の本人確認のための入力を受け付けて、確認した後、ＩＤとパスワードを生成して、利用者の住民票コード等とともに記憶部に記憶するとともに、利用者端末５に送信、利用者のメールアドレス宛に送信、郵送等してもよい。
【００５３】
また、上記のシステム構成は一例であり、例えば、１台のコンピュータの機能を複数台のコンピュータにより実現してもよく、また、複数台のコンピュータの機能を１台のコンピュータにより実現してもよい。
【００５４】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する受付サーバ１１、情報管理サーバ１２１、登録端末１２２、銀行サーバ２、コンビニ管理サーバ３１、帳票管理サーバ４、利用者端末５等を構成してもよい。また、インターネット等のネットワーク上のサーバ装置が有するディスク装置に格納しておき、例えば搬送波に重畳してコンピュータにダウンロード等するようにしてもよい。
また、上述の機能を、ＯＳが分担又はＯＳとアプリケーションの共同により実現する場合等には、ＯＳ以外の部分のみを媒体に格納して配布してもよく、また、搬送波に重畳してコンピュータにダウンロード等してもよい。
【００５５】
【発明の効果】
このような構成によれば、証明書の発行の申請要求を利用者の端末から受け付けて、利用者の所望する場所のプリンタ装置から出力させるためのシステムを実現することができる。また、発行された証明書の真正性をネットワークを介して確認することができる。
【図面の簡単な説明】
【図１】この発明の実施の形態に係る証明書発行システムの構成を示す図である。
【図２】図１の証明書発行システムにおける受付サーバの構成を示す図である。
【図３】証明書データのデータ構造の一例を示す図である。
【図４】図１の証明書発行システムにおける基幹システムの構成を示す図である。
【図５】住民票データのデータ構造の一例を示す図である。
【図６】印鑑証明書データのデータ構造の一例を示す図である。
【図７】図１の証明書発行システムにおけるコンビニエンスストアシステムの構成を示す図である。
【図８】図１の証明書発行システムにおける帳票管理サーバの構成を示す図である。
【図９】帳票ＤＢに記憶されるデータの構造を示す図である。
【図１０】申請受付処理を説明するためのフローチャートである。
【図１１】受取処理を説明するためのフローチャートである。
【図１２】確認処理を説明するためのフローチャートである。
【図１３】印影登録処理を説明するためのフローチャートである。
【符号の説明】
１              申請受付システム
１１            受付サーバ
１１１          制御部
１１１ａ        申請受付部
１１１ｂ        証明書確認部
１１２          記憶部
１１２ａ        証明書発行ＤＢ
１１３          通信制御部
１２            基幹システム
１２１          情報管理サーバ
１２１１        記憶部
１２１２        制御部
１２１３        通信制御部
１２１４        登録ＤＢ
１２１４ａ      住民票ＤＢ
１２１４ｂ      印鑑ＤＢ
１２２          登録端末
２              銀行サーバ
３              コンビニエンスストアシステム
３１            コンビニ管理サーバ
３１１          制御部
３１２          記憶部
３１３          通信制御部
３２            プリンタ装置
４              帳票管理サーバ
５              利用者端末
【図１】
2004302924.tif 000003
【図２】
2004302924.tif 000004
【図３】
2004302924.tif 000005
【図４】
2004302924.tif 000006
【図５】
2004302924.tif 000007
【図６】
2004302924.tif 000008
【図７】
2004302924.tif 000009
【図８】
2004302924.tif 000010
【図９】
2004302924.tif 000011
【図１０】
2004302924.tif 000012
【図１１】
2004302924.tif 000013
【図１２】
2004302924.tif 000014
【図１３】
2004302924.tif 000015